(57)【要約】【課題】より効率のよいダッシュを可能とするスパイクシューズのソールを提供する。【解決手段】本スパイクシューズのソールＳは樹脂製のベース１と、該ベース１に一体で、かつ、該ベース１から地面に向かって突出する樹脂製の複数のクリート２とを備え、第１趾趾節間関節Ｊ１を含み足の内側ＩＮから外側ＯＵＴに行くに従い前方に向かうように傾斜した高屈曲エリアＲ１がベース１に形成され、高屈曲エリアＲ１にはクリート２が設けられていない。高屈曲エリアＲ１の直前方には高屈曲エリアＲ１を区画する１以上の第１クリート２１が設けられ、高屈曲エリアＲ１の直後方には高屈曲エリアＲ１を区画する１以上の第２クリート２２が設けられている。第１趾趾節間関節Ｊ１における高屈曲エリアＲ１の足の長軸Ｙ方向の第１の幅Ｗｙ１が４ｍｍ〜１５ｍｍに設定されている。【選択図】図６
2007138947.tif 000002
【特許請求の範囲】
【請求項１】
少なくとも前足部を有するソールの樹脂製のベースと、該ベースに一体で、かつ、該ベースから地面に向かって突出する樹脂製の複数のクリートとを備えたスパイクシューズのソールにおいて、
第１趾趾節間関節を含み足の内側から外側に行くに従い前方に向かうように傾斜した高屈曲エリアが前記ベースに形成され、
前記高屈曲エリアには前記クリートが設けられておらず、かつ、前記高屈曲エリアの直前方には前記高屈曲エリアを区画する１以上の第１クリートが設けられ、前記高屈曲エリアの直後方には前記高屈曲エリアを区画する１以上の第２クリートが設けられ、
足の長軸に沿って延びる方向について、前記第１趾趾節間関節における前記高屈曲エリアの第１の幅が４ｍｍ〜１５ｍｍに設定され、
前記高屈曲エリアの外側前端から内側後端に向かって、かつ、前記第１クリートの縁および前記第２クリートの縁に接して直線状に延びる第１接線と、前記高屈曲エリアの外側後端から内側前端に向かって、かつ、前記第１クリートの縁および前記第２クリートの縁に接して直線状に延びる第２接線との双方が、内側から外側に行くに従い前方に向かうように傾斜しており、
前記第１接線と第２接線とがなす角が１０°〜３０°に設定されているスパイクシューズのソール。
【請求項２】
請求項１において、前記第１接線と前記長軸とがなす先端側の第１の角が４０°以上に設定され、かつ、前記第２接線と前記長軸とがなす先端側の第２の角が８０°以下に設定されているスパイクシューズのソール。
【請求項３】
請求項１において、前記第１接線は前記第１クリートの外側後端において前記縁に接し、
前記第２接線は前記第１クリートの内側後端において前記縁に接し、
前記高屈曲エリアは、前記第１クリートの内側後端を通る前記長軸方向の第２の幅よりも前記第１クリートの外側後端を通る前記長軸方向の第３の幅が大きいスパイクシューズのソール。
【請求項４】
請求項１において、前記高屈曲エリアを前後に概ね均等に分割する第１仮想ラインに直交し、かつ、前記高屈曲エリアの前方のソールの先端エリアを内外に概ね均等に分割する第２仮想ラインにより内外に区画された内側エリアおよび外側エリアを更に備え、
前記第１クリートは１以上の内側の第１クリートおよび１以上の外側の第１クリートを含み、
前記内側第１クリートが前記内側エリアに配置され、前記外側第１クリートが前記外側エリアに配置され、
前記内側第１クリートの先端と前記外側第１クリートの先端とが前記第２仮想ラインに沿った方向の概ね同じ位置に配置され、
このように配置されていることで、前記外側第１クリートの先端が前記内側第１クリートの先端よりも前記長軸方向の前方に配置されているスパイクシューズのソール。
【請求項５】
請求項４において、前記各第１クリートは前記第２仮想ラインに沿った方向に１０ｍｍ〜２５ｍｍの長さを有し、かつ、前記各第１クリートの先端がソール先端から前記第２仮想ラインに沿った方向に１５ｍｍ以内の領域に配置されているスパイクシューズのソール。
【請求項６】
請求項１において、前記第２クリートの後方には多数の樹脂製の第３クリートが設けられ、
１以上の前記第３クリートが、足の中足趾節関節を連ねたランニング屈曲軸と交差するように配置されているスパイクシューズのソール。
【請求項７】
請求項６において、前記前足部における前記高屈曲エリアの後方において、前記前足部を横断する全てのラインに対して少なくとも１以上の前記第２クリートまたは前記第３クリートの少なくとも一方が交差するように配置されているスパイクシューズのソール。
【請求項８】
請求項１において、前記第１接線と第２接線との交点が、第１趾に相当する領域、第１趾と第２趾の間の領域または第２趾に相当する領域のいずれかに位置するスパイクシューズのソール。
【請求項９】
請求項１において、前記第２クリートは、前記高屈曲エリアの直後方に、前記高屈曲エリアとその後方の低屈曲エリアとを区画する後境界ラインに沿って延びる横長部を有するスパイクシューズのソール。
【発明の詳細な説明】
【技術分野】
【０００１】
本発明は、スパイクシューズのソールに関する。
【背景技術】
【０００２】
従来より、スパイクシューズにおいては、種々の目的から、剛性分布を持たせたり、屈曲し易いエリアを持たせたソールが提案されている。かかるソールとしては、下記の特許文献１〜１０のソールが挙げられる。なお、特許文献８，９については、本願発明との比較を後述する。
【特許文献１】特開昭58-165802 （第１図）
【特許文献２】特開昭60-222002 （第６図）
【特許文献３】実開昭60-13006（第１図）
【特許文献４】特開平8-214910（要約）
【特許文献５】実開平11-89605（要約）
【特許文献６】特開2004-167069 （要約）
【特許文献７】特開2002-248006 （要約）
【特許文献８】実公平7-36483 （図１）
【特許文献９】特開2001-340101 （要約）
【特許文献１０】特許第3635006 （図１）
【発明の開示】
【０００３】
サッカー、ラグビーなどのスポーツにおいては、ダッシュと呼ばれる短時間での加速動作がしばしば競技者に求められる。
本発明は、かかるダッシュに着目してなされたものであり、より効率のよいダッシュを可能とするスパイクシューズのソールを提供することを主目的とする。
また、本発明の別の目的は、等速ランニング中の高い走行効率を可能とするスパイクシューズのソールを提供することである。
本スパイクシューズのソールの発明は、以下の考案に基づくもので、少なくとも前足部を有するソールの樹脂製のベースと、該ベースに一体で、かつ、該ベースから地面に向かって突出する樹脂製の複数のクリートとを備える。
本スパイクシューズのソールには、第１趾趾節間関節を含み足の内側から外側に行くに従い前方に向かうように傾斜した高屈曲エリアが前記ベースに形成されている。前記高屈曲エリアには前記クリートが設けられていない。
前記高屈曲エリアの直前方には前記高屈曲エリアを区画する１以上の第１クリートが設けられ、前記高屈曲エリアの直後方には前記高屈曲エリアを区画する１以上の第２クリートが設けられている。
足の長軸に沿って延びる方向について、前記第１趾趾節間関節における前記高屈曲エリアの第１の幅が４ｍｍ〜１５ｍｍに設定されている。
前記高屈曲エリアの外側前端から内側後端に向かって、かつ、前記第１クリートの縁および前記第２クリートの縁に接して直線状に延びる第１接線と、前記高屈曲エリアの外側後端から内側前端に向かって、かつ、前記第１クリートの縁および前記第２クリートの縁に接して直線状に延びる第２接線との双方が、内側から外側に行くに従い前方に向かうように傾斜している。前記第１接線と第２接線とがなす角が１０°〜３０°に設定されている。
【０００４】
上記目的に鑑み、本願発明者は、まず、ダッシュ動作を定量的に評価するために、ダッシュ効率の評価を次のように行うこととした。ダッシュ効率とは、ダッシュし易さの評価指針である。
図１Ｃは、前足部で着地するダッシュ時における推進方向への床反力の時系列変化を示したグラフである。グラフ中、網掛けを施した面積ΣFdは、被験者が地面を蹴った力（力積）を表している。この面積ΣFdが大きいほど、ランナーがダッシュし易い（ダッシュ効率が高い）シューズと言える。すなわち、面積ΣFdをパラメータとして、この面積ΣFdの大小を基準にダッシュ効率の評価を行った。
【０００５】
一方、走行効率についても、定量的に評価するために、次のように評価を行うこととした。走行効率とは、走りやすさの評価指針である。
図１Ｄは、踵部から着地する等速ランニング中の推進方向の床反力の時系列変化を表している。ここで、網掛けを施した面積ΣFrは等速走行を維持するために必要なキック力（力積）を表している。この面積ΣFrが小さいほど、ランナーが楽に速度を維持できるシューズ（走行効率が高い）といえる。すなわち、面積ΣFrをパラメータとしてこの面積ΣF ｒの大小を基準に走行効率の評価を行った。
【０００６】
次に、本願発明者は、ダッシュ時および等速ランニング時における足裏の足圧分布の分析および高速度ビデオを用いた画像解析による足裏の接地状態の分析を行った。この分析の結果を以下に述べる。
足圧分布としては、等速ランニング時には足圧が母指球付近に集中しているのが分かる。これに対し、ダッシュ時には足圧が母指球および第１趾爪先部に集中していることが分かる。
接地状態については、等速ランニング時には図１Ｂに示す結果が得られ、ダッシュ時には図１Ａに示す結果が得られた。
なお、図１Ａ，図１Ｂは、素足による最大キック力発揮時（推進期）の接地状態を示し、網かけを施した領域は接地エリアである。以下の図において、矢印９は進行方向を示し、矢印ＩＮは足の内側を示し、矢印ＯＵＴは足の外側を示す。
【０００７】
このように、足裏の足圧分布および接地状態のいずれにおいても、ダッシュ時と等速ランニング時では動作が大きく異なることが分かる。
接地エリアの分析によれば、等速ランニング時には、図１Ｂに示すように、概ね中足趾節関節に沿ったランニング屈曲軸ＲＬで足が屈曲し、該ランニング屈曲軸ＲＬよりも前方のエリアが接地する。
一方、ダッシュ時には、図１Ａに示すように、概ね第１趾中足趾節関節（母指球）を通り、足の長軸Ｙに対して斜めに傾いたダッシュ屈曲軸ＤＬで足が屈曲する。つまり、母指球を通り足の内側から外側に行くに従い前方に向かうように（外前方に）傾斜したダッシュ屈曲軸ＤＬで足が屈曲し、該ダッシュ屈曲軸ＤＬよりも前方のエリアが接地することが分かった。
更に、離地までの推進力の力積ΣFd（図１Ｃ）を大きくするためには、第１趾趾節間関節を通り前記ダッシュ屈曲軸ＤＬに概ね平行なラインＤＬ１で足を屈曲させ、ダッシュ力を路面に伝える力が離地直前まで発揮可能であるようにするのが好ましいことが分かった。
【０００８】
足圧分布の結果から考察すると、ダッシュ時においては母指球から第１趾爪先部までの領域におけるソールの構造がダッシュ効率の向上に深く関係していると考えられる。
さらに、接地状態の結果から考察すると、ダッシュ効率を向上させるには足の屈曲に合わせて屈曲するソールを有するスパイクの使用が効果的と考えられる。
すなわち、前記ダッシュ屈曲軸ＤＬおよびその前方のラインＤＬ１で屈曲し易いソールが効果的と考えられる。なぜなら、ダッシュ時の足の屈曲を実現し得るソールであれば、面積ΣFd（図１Ｃ）を増加させ易いからである。
【０００９】
一方、等速ランニング時には前記ランニング屈曲軸ＲＬにおけるソールの曲げ剛性を大きくし（曲がり難くする）、走行時に不必要にソールが屈曲して走行ロスが生じるのを抑制することで、走行効率が向上すると考えられる。つまり、前記ランニング屈曲軸ＲＬにおいて足を曲がり難くすることで走行効率が向上すると推測される。
【００１０】
かかる考察に基づいて、ダッシュ効率および走行効率の向上を検証するために、市販のサッカーシューズを用いて下記の実験を行った。実験にあたり、図２Ａに示す５種類の靴Type I〜V を用意した。
【００１１】
Type Iの靴は市販されているサッカーシューズであり、Type II 〜V の靴はType Iの靴のソールに溝を設けることで部分的にソールの曲げ剛性を低減させ曲がり易くしたものである。
Type II の靴は、Type Iの靴のソールに、前記ランニング屈曲軸ＲＬ（図１Ｂ）に概ね沿った溝Ｇ１を設けて中足趾節関節におけるソールの曲げ剛性を低下させたものである。  Type IIIの靴は、Type Iの靴のソールに前記ダッシュ屈曲軸ＤＬに平行なラインＤＬ１（図１Ａ）に概ね沿った溝Ｇ２を設けて該ラインＤＬ１におけるソールの曲げ剛性を低下させたものである。
Type IV の靴は、Type Iの靴のソールに前記２つの溝Ｇ１，Ｇ２を両方設けたものである。
Type Vの靴は、Type Iの靴のソールに前記溝Ｇ２と前記ランニング屈曲軸ＲＬの外側部分にのみ延びる溝Ｇ３（したがって、中足趾節関節部分には幅方向に剛性分布がある）とを設けたものである。
【００１２】
これらの靴Type I〜V を被験者が装着して、ダッシュ動作および等速ランニング動作を行い、ダッシュ効率のパラメータΣFdおよび走行効率のパラメータΣFrを測定した。図２Ｂ，図２Ｃはこの測定の結果を示している。
【００１３】
図２Ｂに示すように、ソールに前記溝Ｇ２を設けたType III,IV,V において高いダッシュ効率が得られることが分かる（ΣFdが大きくなった）。
このことから、前述したように、ダッシュ時の足の屈曲性を考慮した構造、つまり、前記ラインＤＬ１（図１Ａ）におけるソールの曲げ剛性を低下させることはダッシュ効率の向上に効果的であることが確認できた。
【００１４】
一方、図２Ｃに示すように、Type II,IVは走行効率の低い（スピードを維持し難い）シューズと云える。これらのシューズは、前記ランニング屈曲軸ＲＬ（図１Ｂ）に対応した溝Ｇ１をソールに有している。このため、走行中にソールの変形が大きくなることとなり、走行効率は低下した（ΣFrは大きくなった）。
このことから、前記ランニング屈曲軸ＲＬの位置においてソールの曲げ剛性を大きくする（曲がり難くする）のが、走行効率の観点からは好ましいことが確認された。
【００１５】
さらに、本願発明者は、５名の被験者がダッシュ動作を行った際の足裏の動画を撮影することにより、前記ダッシュ屈曲軸ＤＬの個人差について検討した。図３Ａ〜図３Ｅは各被験者のダッシュ動作の際の足裏の接地状態を示し、網かけを施した領域が足裏の接地領域である。
【００１６】
各図に示すように、いずれのダッシュ屈曲軸ＤＬも足の内側から外側に行くに従って前方に傾斜するように、踵中心部と第２趾先端とを結ぶ長軸Ｙに対して傾いている。
更に、前記長軸Ｙと前記ダッシュ屈曲軸ＤＬとがなす傾斜角θは被験者毎に異なることが分かった。その傾斜角θは最小で約４５°程度、最大で約７０°程度であり、約２５°程度のバラツキがあることが分かった。
かかる測定結果を考慮すると、前記ダッシュ屈曲軸ＤＬの約２５°程度の個人差を許容可能とするのが好ましい。前記ダッシュ屈曲軸ＤＬと前記ラインＤＬ１（図１Ａ）とは互いに平行であるから、前記ラインＤＬ１（図１Ａ）を含む屈曲し易い（剛性の低い）高屈曲エリアは、傾斜角の異なる前記ダッシュ屈曲軸ＤＬでの屈曲を許容するように、約１０°〜３０°程度の範囲で設定されるのが好ましいと推測される。
【００１７】
また、既存の足形データより、足長に対する第１趾趾節間関節の位置には、個人差があることが判明している。具体的には、同じサイズのシューズを使用する者の間でも、第１趾の爪先から第１趾趾節間関節までの長軸方向の距離には約５ｍｍ程度のバラツキがある。
かかるバラツキを考慮して、かかる第１趾趾節間関節の位置のバラツキによる前記ラインＤＬ１（図１Ａ）の位置の個人差を許容するために、前記高屈曲エリアＲ１には第１趾趾節間関節において長軸方向に約４ｍｍ以上の第１の幅Ｗｙ１（図６）を持たせるのが好ましいと推測される。
また、前記高屈曲エリアＲ１の幅Ｗｙ１が広すぎると、前記ラインＤＬ１以外の意図しない軸でソールが大きく屈曲してしまうおそれがある。これを避けるために前記幅Ｗｙ１は約１５ｍｍ以下に設定するのが好ましいと推測される。
【００１８】
第１趾趾節間関節の位置のバラツキは前記傾斜角θのバラツキに影響を与えていると考えられる。したがって、必ずしも、前記幅Ｗｙ１を前記双方のバラツキを完全に許容する程の値とする必要はない。
ある程度のバラツキのみを許容する範囲の方が大多数の人の足に合ったソールとなり得る。かかる観点から前記幅Ｗｙ１の値を設定するのが適切である。
【００１９】
本発明のスパイクシューズのソールの発明は以上の考察に基づいてなされており、図４に示すように、少なくとも前足部を有するソールＳの樹脂製のベース１と、該ベース１に一体で、かつ、該ベース１から地面に向かって突出する樹脂製の複数のクリート２とを備える。
図５に示すように、本ソールＳは、第１趾趾節間関節Ｊ１を含み足の内側ＩＮから外側ＯＵＴに行くに従い前方に向かうように傾斜した高屈曲エリアＲ１が前記ベース１に形成されている。前記高屈曲エリアＲ１には前記クリート２が設けられていない。
図６に示すように、前記高屈曲エリアＲ１の直前方には前記高屈曲エリアＲ１と先端エリアＲ２とを区画する１以上の第１クリート２１が設けられている。前記高屈曲エリアＲ１の直後方には前記高屈曲エリアＲ１と低屈曲エリアＲ３とを区画する１以上の第２クリート２２が設けられている。前記第１趾趾節間関節Ｊ１における前記高屈曲エリアＲ１の足の長軸Ｙ方向の第１の幅Ｗｙ１は４ｍｍ〜１５ｍｍに設定されている。
図７に示すように、第１接線Ｔ１は、前記高屈曲エリアＲ１の外側前端３１から内側後端３２に向かって、かつ、外側の前記第１クリート２１の縁２１ａおよび内側の前記第２クリート２２の縁２２ａに接して直線状に延びている。第２接線Ｔ２は、前記高屈曲エリアＲ１の外側後端３３から内側前端３４に向かって、かつ、内側の前記第１クリート２１の縁２１ａおよび外側の前記第２クリート２２の縁２２ａに接して直線状に延びている。  前記第１接線Ｔ１と第２接線Ｔ２は、ソールの内側ＩＮから外側ＯＵＴに行くに従い前方に向かうように傾斜している。前記第１接線Ｔ１と第２接線Ｔ２とがなす角αは１０°〜３０°に設定されている。なお、図５〜図７、図９においては、前記高屈曲エリアＲ１に網かけを施している。
【００２０】
本発明によれば、前記第１接線Ｔ１および第２接線Ｔ２の双方が、ソールの内側ＩＮから外側ＯＵＴに行くに従い斜め前方に傾斜している。したがって、これらの２本の接線Ｔ１，Ｔ２の間においてダッシュ時にソールが容易に屈曲する。
ここで、前記第１接線Ｔ１と第２接線Ｔ２がなす角α≦３０°、かつ、前記第１の幅Ｗｙ１≦１５ｍｍであるから、前記高屈曲エリアＲ１における屈曲の領域が広すぎない。そのため、ソールの屈曲が規制され、ダッシュ効率が向上する。
前記第１接線Ｔ１と第２接線Ｔ２がなす角αが３０°を超えたり、あるいは、前記第１の幅Ｗｙ１が１５ｍｍを超えると、ソールが不必要な部位において屈曲し易い。更に、前記高屈曲エリアＲ１が広すぎると、前記先端エリアＲ２に前記クリート２を設けるための領域が小さくなりすぎる。
一方、前記第１接線Ｔ１と第２接線Ｔ２がなす角α≧１０°、かつ、前記第１の幅Ｗｙ１≧４ｍｍであるから、種々の着用者の足型や足の屈曲の違いに応じたソール先端部の屈曲が可能となる。
本発明では、前記第１接線Ｔ１と第２接線Ｔ２とがなす角αの下限を１０°としている。この値は、前記ダッシュ屈曲軸ＤＬ（図１Ａ）の個人差の計測において得られた前記長軸Ｙと前記ダッシュ屈曲軸ＤＬとがなす傾斜角のバラツキ約２５°よりも小さい。前記角αの下限が前記傾斜角のバラツキ約２５°よりも小さい場合であっても、前記クリートが配置されている部位のソールがクリートと共に屈曲することは可能であるため、ソールの屈曲を許容する機能が発揮され得る。
【００２１】
なお、本発明において、クリートとは、３ｍｍ以上の高さを有し、かつ、ベース１近傍の基部において２０ｍｍ2 以上の面積、先端面において１０ｍｍ2 以上の面積を持つ突起をいう。
また、本発明において、高屈曲エリアＲ１とは、足の内側ＩＮから外側ＯＵＴに行くに従い斜め前方に傾斜している略帯状に延びる領域であって、先端エリアＲ２および低屈曲エリアＲ３よりもソールが屈曲し易いエリアをいう。
先端エリアＲ２とは、ソールにおける前記高屈曲エリアＲ１よりも前方のエリアをいう。
低屈曲エリアＲ３とは、ソールにおける前足部のうち前記高屈曲エリアＲ１よりも後方のエリアをいう。
【００２２】
前記高屈曲エリアＲ１には前記クリート２が配置されていないため、ソールの屈曲が大きくなる。つまり、ソールが屈曲し易い。
一方、前記高屈曲エリアＲ１よりも後方の前記クリート２が配置された部分では、図１０の側面図のように、前記クリート２がリブのように作用して、ソールの断面二次モーメントＩｚが大きくなる。そのため、長軸方向Ｙに曲げモーメントＭが作用した際の各断面における曲げ剛性が大きくなる。つまり、前記クリート２が配置されている部位では局所的に断面二次モーメントＩｚが小さい部分がなくなる。したがって、ソールが曲がり難くなる。前記高屈曲エリアＲ１の後方のエリアには前記クリート２が配置されているので、ソールが曲がり易い部分がない。その結果、前記高屈曲エリアＲ１でのソールの屈曲が促進される。  
【００２３】
また、本発明において、長軸Ｙとは、図５に示すように、踵の中心部（踵骨７４の内側部）と第２趾７２の先端とを結ぶ直線状の仮想のラインをいう。長軸Ｙ方向とは該長軸Ｙに沿った方向をいう。
なお、特に断らないかぎり、前方とは長軸Ｙ方向の前方（爪先側）、後方とは長軸Ｙ方向の後方（踵側）をいう。
【００２４】
ここで、本発明と前記特許文献８，９に開示された靴底とを比較する。
図１１Ａに示すように、前記特許文献８の靴底ではクリート１０２に接する２本の接線Ｔ１１，Ｔ１２のうちＴ１２が足の内側から外側に行くに従って斜め後方に傾斜している。そのため、不必要な範囲までソールの屈曲エリアが広がっている。その結果、ダッシュ時に前記ラインＤＬ１以外のラインでソールが屈曲してしまう。
【００２５】
また、図１１Ｂに示すように、前記特許文献９の靴底では、クリート１０２に接する２本の接線Ｔ１１，Ｔ１２がなす角が極めて小さい。そのため、前記ダッシュ屈曲軸ＤＬの個人差を殆ど許容できない。
更に、ソールの厚さを考慮してソールを屈曲し易くしようとすると、ソールの底面においては屈曲する領域にある程度の幅が必要となる。しかし、同文献の靴底は２つの接線Ｔ１１，Ｔ１２のなす角が極めて小さい。したがって、屈曲する領域の幅は狭く、ソールは殆ど屈曲し易くならないと考えられる。
また、同文献の靴底は、陸上用のスパイクをネジ込むための硬い座金１０２を前記ダッシュ屈曲軸ＤＬが横断している。そのため、実際にはソールが屈曲し難いと考えられる。
【００２６】
本発明において、図８に示すように、前記第１接線Ｔ１と前記長軸Ｙとがなす先端外側の第１の角β１が４０°以上に設定され、かつ、前記第２接線Ｔ２と前記長軸Ｙとがなす先端外側の第２の角β２が８０°以下に設定されているのが好ましい。
【００２７】
前記ダッシュ屈曲軸ＤＬの個人差の計測の結果、前記ダッシュ屈曲軸ＤＬの前記長軸Ｙに対する傾斜角θは４５°〜７０°程度の範囲に分布している。
測定誤差等を考慮すると、前記第１の角および第２の角が、４０°から８０°程度の傾斜角θを有する前記ダッシュ屈曲軸ＤＬ（図１Ａ）を許容すれば、前記ラインＤＬ１（図１Ａ）は前記ダッシュ屈曲軸ＤＬに平行であるため、前記ラインＤＬ１において前記ダッシュ屈曲軸ＤＬの個人差を十分に許容できると推測される。
【００２８】
なお、前記第１の角β１は４０°〜６０°程度に設定し、前記第２の角β２は６０°〜８０°程度に設定するのが更に好ましい。
【００２９】
また、本発明において、図７に示すように、前記第１接線Ｔ１は外側の前記第１クリート２１Ｌの縁２１ａに接している。前記第２接線Ｔ２は内側の前記第１クリート２１Ｍの縁２１ａに接している。
前記高屈曲エリアＲ１は、前記第２接線Ｔ２が前記第１クリート２１Ｍの縁２１ａを通る足の内側の前記長軸Ｙ方向の第２の幅Ｗｙ２よりも、前記第１接線Ｔ１が前記第１クリート２１Ｌの縁２１ａを通る足の外側の前記長軸Ｙ方向の第３の幅Ｗｙ３が幅広となっているのが好ましい。
【００３０】
ダッシュ時には足の内側寄りの第１趾趾節間関節Ｊ１を中心に前記ダッシュ屈曲軸ＤＬに平行なラインＤＬ１（図１Ａ）において足が屈曲する。そのため、前記ラインＤＬ１は前記第１趾趾節間関節Ｊ１を中心に足の外側に行くに従って斜め前方に傾く。したがって、足の内側よりも外側において前記高屈曲エリアＲ１が幅広となっていることで、前記ラインＤＬ１を足の屈曲に応じて規制することができる。
【００３１】
また、本発明において、図７に示すように、前記第１接線Ｔ１と第２接線Ｔ２との交点ＴＸが、第１趾７１に相当する領域、第１趾７１と第２趾７２の間の領域または第２趾７２に相当する領域のいずれかに位置しているのが好ましい。
このようにすれば、第１趾７１から第２趾７２にかけての部位における前記高屈曲エリアＲ１の長軸Ｙ方向の幅を小さくし、かつ、この部位よりも内側および外側の部位における長軸Ｙ方向の幅を大きくすることができる。そのため、前記高屈曲エリアＲ１が広がり過ぎない。したがって、前記ラインＤＬ１に平行な前記ダッシュ屈曲軸ＤＬの幅広い個人差に対応できる。
【００３２】
また、本発明の好ましい形態においては、図９に示すように、第１仮想ラインＫ１は、前記高屈曲エリアＲ１を前後に概ね均等に、かつ、概ね線対称に分割する。
第２仮想ラインＫ２は、前記仮想ラインＫ１に直交し、前記高屈曲エリアＲ１の前方のソールの先端エリアＲ２を内外に概ね均等に分割する。すなわち、前記第２仮想ラインＫ２によって、前記先端エリアＲ２は内側エリアＲ２１と外側エリアＲ２０とに区画される。
第１クリート２１は、１以上の内側の第１クリート２１Ｍおよび１以上の外側の第１クリート２１Ｌを含んでいる。
前記内側第１クリート２１Ｍが前記内側エリアＲ２１に配置され、前記外側クリート２１Ｌが前記外側エリアＲ２０に配置されている。
前記内側第１クリート２１Ｍの先端２１ｂと前記外側第１クリート２１Ｌの先端２１ｂは、前記第２仮想ラインＫ２に沿った方向の概ね同じ位置に配置されている。したがって、前記外側第１クリート２１Ｌの先端２１ｂは前記内側第１クリート２１Ｍの先端２１ｂよりも前記長軸Ｙ方向の前方に配置されている。
【００３３】
この態様によれば、ランナーのダッシュ力を路面に伝える力が離地直前まで発揮され得る。すなわち、ダッシュ時には、足の外側から離地する。そのため、前記外側第１クリート２１Ｌが前記内側第１クリート２１Ｍよりもソールの前方まで延びていることで、ランナーが離地直前までキック力を路面に伝達できる。
【００３４】
本態様では、図９に示すように、前記各第１クリート２１Ｍ，２１Ｌは前記第２仮想ラインＫ２に沿った方向に１０ｍｍ〜２５ｍｍの長さＤ１を有し、かつ、前記各第１クリート２１Ｍ，２１Ｌの先端２１ｂがソール先端Ｓｔから前記第２仮想ラインＫ２に沿った方向に１５ｍｍ以内の領域に配置されているのが好ましい。すなわち、前記各第１クリート２１Ｍ，２１Ｌの先端２１ｂとソール先端Ｓｔとの間の前記第２仮想ラインＫ２に沿った距離Ｄ２が１５ｍｍ以下であるのが好ましい。
【００３５】
このようにすることで、前記第１クリート２１Ｍ，２１Ｌがソール先端部において十分な長さを有し、かつ、前記第１クリート２１Ｍ，２１Ｌがソールの前方において内外に存在するのでダッシュ時に安定したダッシュ力を得ることができる。前記距離Ｄ２は１０ｍｍ以下であるのが更に好ましい。
なお、ソール先端とは、前記第２仮想ラインに沿った方向のソールの前端、すなわち、ソールの外周と第２仮想ラインとの前側の交点の意である。
【００３６】
ダッシュ時の蹴り出しにおいては、外側のキック力が内側のキック力に比べて小さくなる。したがって、前記先端エリアＲ２の第１クリート２１の配置については、前記外側第１クリート２１Ｌの第１仮想ラインＫ１に対する投影長さ（第１仮想ラインＫ１に沿った方向の長さ）が、前記内側第１クリート２１Ｍの第１仮想ラインＫ１に対する投影長さよりも長いのが好ましい。
これにより、接地面に対する足の外側のグリップ力が大きくなり、ダッシュ時において更にスムーズな蹴り出しを実現することが可能となる。
また、ダッシュ効率をより向上させるためには、前記第１クリート２１の高さをソールの先端に向かって徐々に小さくするのが好ましい。
【００３７】
また、本発明の好ましい態様においては、図７に示すように、前記第２クリート２２の後方には多数の樹脂製の第３クリート２３が設けられ、１以上の前記第３クリート２３が、足の中足趾節関節７３を連ねた前記ランニング屈曲軸ＲＬ（図１Ｂ）と交差するように配置されているのが好ましい。
【００３８】
前述の考察で述べたように、走行効率の観点から、前記ランニング屈曲軸ＲＬ（図１Ｂ）の位置においてソールが曲がり難くなるのが好ましい。
本態様のように前記ランニング屈曲軸ＲＬ上に前記第３クリート２３を設けることで、前記第３クリート２３がリブのように作用する。そのため、走行時における前記ランニング屈曲軸ＲＬの屈曲が抑制される。その結果、走行効率が向上する。
【００３９】
本態様においては、前記前足部のうちの前記高屈曲エリアＲ１の後方において、前記前足部を横断する全ての仮想のラインに対して少なくとも１以上の前記第２クリート２２または第３クリート２３が交差するように配置されているのが好ましい。
【００４０】
このようにすれば、前記高屈曲エリアＲ１よりも後方において、全てのラインについてソールの屈曲が前記第２クリート２２および第３クリート２３により抑制される。したがって、走行効率が向上する。
かかるソールの屈曲抑制の観点から、前記各第３クリート２３の長軸Ｙ方向の長さは長軸Ｙ方向に直交する横方向の幅よりも大きいのが好ましい。
【図面の簡単な説明】
【００４１】
【図１】図１Ａはダッシュ時の足裏の接地状態を示す底面図、図１Ｂは等速ランニング時の足裏の接地状態を示す底面図、図１Ｃはダッシュ時の床反力の時系列変化を示す特性図、図１Ｄは等速ランニング時の床反力の時系列変化を示す特性図である。
【図２】図２Ａはダッシュ効率および走行効率の向上を検証するための実験に用いた靴を示す底面図、図２Ｂおよび図２Ｃは、それぞれ、実験の結果を示すグラフである。
【図３】図３Ａ、図３Ｂ、図３Ｃ、図３Ｄおよび図３Ｅは、それぞれ、ダッシュ屈曲軸の個人差を示す足裏の底面図である。
【図４】本発明の実施例の靴を示す斜視図である。
【図５】足の骨を重ねて示したソールの底面図である。
【図６】足の骨を重ねて示したソールの部分底面図である。
【図７】足の骨を重ねて示したソールの部分底面図である。
【図８】ソールの部分底面図である。
【図９】ソールの部分底面図である。
【図１０】ソールの部分縦断面図である。
【図１１】図１１Ａおよび図１１Ｂは、それぞれ、従来例を示すソールの底面図である。
【符号の説明】
【００４２】
１：ベース
２：クリート
２１：第１クリート
２１Ｍ：内側第１クリート
２１Ｌ：外側第１クリート
２１ａ：縁
２１ｂ：先端
２２：第２クリート
２２ａ：縁
２２ｂ：横長部
２３：第３クリート
４１：前境界ライン
４２：後境界ライン
７３：中足趾節関節
Ｔ１：第１接線
Ｔ２：第２接線
ＴＸ：第１接線と第２接線との交点
Ｙ：長軸
ＤＬ：ダッシュ屈曲軸
ＲＬ：ランニング屈曲軸
Ｋ１：第１仮想ライン
Ｋ２：第２仮想ライン
Ｓ：ソール
Ｓｔ：ソール先端
Ｒ１：高屈曲エリア
Ｒ２：先端エリア
Ｒ２１：内側エリア
Ｒ２０：外側エリア
Ｒ３：低屈曲エリア
Ｗｙ１：長軸方向の第１の幅
Ｗｙ２：長軸方向の第２の幅
Ｗｙ３：長軸方向の第３の幅
Ｊ１：第１趾趾節間関節
ＩＮ：内側
ＯＵＴ：外側
【発明を実施するための最良の形態】
【００４３】
以下、本発明の実施例を図面に従って説明する。
図４に示すように、本実施例のスパイクシューズのソールＳは樹脂製のベース１と、該ベース１に一体で、かつ、該ベース１から地面に向かって突出する樹脂製の複数のクリート２とを備える。ソールＳの上方にはアッパーＵが配置されている。【００４４】
図６に示すように、ソールＳの前足部には、第１趾趾節間関節Ｊ１を通り、足の外側に行くに従い斜め前方に傾斜している略帯状の高屈曲エリアＲ１と、前記高屈曲エリアＲ１の前方の先端エリアＲ２と、前記高屈曲エリアの後方の低屈曲エリアＲ３とが設けられている。
前記高屈曲エリアＲ１はクリート２が設けられておらず、かつ、前記先端エリアＲ２および低屈曲エリアＲ３よりも柔らかい材料によって構成されている。これにより、該高屈曲エリアＲ１は前記先端エリアＲ２および低屈曲エリアＲ３よりもソールが屈曲し易くなっている。
一方、前記先端エリアＲ２には複数の第１クリート２１が設けられており、前記低屈曲エリアＲ３には複数の第２クリート２２が設けられている。前記第２クリート２２の後方には複数の第３クリート２３が設けられている。【００４５】
なお、等速ランニング時およびダッシュ時のいずれにおいても、母指球付近の足圧が大きい。したがって、図５に示すように、いずれかのクリート２が母指球７１ａの直下の近傍に配置されており、かつ、前記母指球７１ａを囲うように複数のクリート２が配置されているのが好ましい。【００４６】
前記高屈曲エリアＲ１と前記先端エリアＲ２との間の前境界ライン４１（図６）、および、前記高屈曲エリアＲ１と前記低屈曲エリアＲ３との間の後境界ライン４２（図６）は複数のラインから構成される。すなわち、以下に述べる第１〜第４接線Ｔ１〜Ｔ４等を繋いだラインが、エリアを区画する前後の境界ライン４１，４２を構成する。【００４７】
図７に示すように、第１接線Ｔ１は、前記高屈曲エリアＲ１の外側前端３１から内側後端３２に向かって、かつ、前記外側第１クリート２１Ｌの縁２１ａおよび内側の第２クリート２２の縁２２ａに接して直線状に延びる接線である。
第２接線Ｔ２は、前記高屈曲エリアＲ１の外側後端３３から内側前端３４に向かって、かつ、前記内側第１クリート２１Ｍの縁２１ａおよび外側の第２クリート２２の縁２２ａに接して直線状に延びる接線である。【００４８】
図８に示すように、第３接線Ｔ３は、全ての第１クリート２１に交差せず、かつ、複数の点において第１クリート２１に接する１以上の接線からなる。前記第３接線Ｔ３は、前記高屈曲エリアＲ１と前記先端エリアＲ２とを足の内外の中央部分において区画する。
第４接線Ｔ４は、全ての第２クリート２２に交差せず、かつ、複数の点において第２クリート２２に接する１以上の接線からなる。前記第４接線Ｔ４は、前記高屈曲エリアＲ１と前記低屈曲エリアＲ３とを足の内外の中央部分において区画する。
なお、本実施例では、前記第３接線Ｔ３および第４接線Ｔ４は、それぞれ、１本であるが、前記第１クリートおよび第２クリートの配置によっては、２本以上の場合もある。【００４９】
前記前境界ライン４１（図６）は、図８に示すように、前記外側第１クリート２１Ｌの縁２１ａおよび前記内側第１クリート２１Ｍの縁２１ａにおいて、第１接線Ｔ１、第３接線Ｔ３および第２接線Ｔ２を滑らかに繋いだラインである。【００５０】
一方、前記後境界ライン４２（図６）は、図８に示すように、前記外側の第２クリート２２Ｌの縁２１ａおよび前記内側の第２クリート２２Ｍの縁２２ａにおいて、第２接線Ｔ２、第４接線Ｔ４および第１接線Ｔ１を滑らかに繋いだラインである。【００５１】
なお、前記低屈曲エリアＲ３の前記各第２クリート２２Ｌ，２２Ｍは、長軸Ｙ方向に長い縦長部２２ｃと、前記高屈曲エリアＲ１の直後方において前記後境界ライン４２に沿って左右に長い横長部２２ｂとを有する。これにより、前記第２クリート２２Ｌ，２２Ｍは略Ｌ字型に形成されている。
前記横長部２２ｂは前記後境界ライン４２に沿って概ね斜め横方向に、つまり、外側に近づくに従い前方に向かうように傾斜して形成されている。前記横長部２２ｂは、前記長軸Ｙに直交する横方向に沿って形成されていてもよい。
前記横長部２２ｂを設けることで前記高屈曲エリアＲ１の直後方が著しく曲がり難くなり、応力が前記高屈曲エリアＲ１に集中する。そのため、前記高屈曲エリアＲ１でのソールの屈曲が促進される。その結果、ダッシュ効率が向上する。【００５２】
以上のとおり、図面を参照しながら好適な実施例を説明したが、当業者であれば、本明細書を見て、自明な範囲で種々の変更および修正を容易に想定するであろう。
たとえば、高屈曲エリアは端部を切欠したり、あるいは、屈曲溝を形成することによりソールの剛性を低くして形成してもよい。
また、クリートの平面形状はひし形やＬ字型に限られず、たとえば、円形や楕円形としてもよい。
また、第１および第２クリートは必ずしも複数設ける必要はなく、それぞれ１個としてもよい。
したがって、そのような変更および修正は、請求の範囲から定まる本発明の範囲内のものと解釈される。
【産業上の利用可能性】
【００５３】
本発明は、サッカー、ラグビーなどのスポーツに使用するスパイクシューズに適用することができる。
【図１】
2007138947.tif 000003
【図２】
2007138947.tif 000004
【図３】
2007138947.tif 000005
【図４】
2007138947.tif 000006
【図５】
2007138947.tif 000007
【図６】
2007138947.tif 000008
【図７】
2007138947.tif 000009
【図８】
2007138947.tif 000010
【図９】
2007138947.tif 000011
【図１０】
2007138947.tif 000012
【図１１】
2007138947.tif 000013
【手続補正書】
【提出日】平成20年10月23日(2008.10.23)
【手続補正１】
【補正対象書類名】明細書
【補正対象項目名】０００２
【補正方法】変更
【補正の内容】
【０００２】
従来より、スパイクシューズにおいては、種々の目的から、剛性分布を持たせたり、屈曲し易いエリアを持たせたソールが提案されている。かかるソールとしては、下記の特許文献１〜１０のソールが挙げられる。なお、特許文献８，９については、本願発明との比較を後述する。
【特許文献１】特開昭58-165802 （第１図）
【特許文献２】特開昭60-222002 （第６図）
【特許文献３】実開昭60-13006（第１図）
【特許文献４】特開平8-214910（要約）
【特許文献５】特開平11-89605（要約）
【特許文献６】特開2004-167069 （要約）
【特許文献７】特開2002-248006 （要約）
【特許文献８】実公平7-36483 （図１）
【特許文献９】特開2001-340101 （要約）
【特許文献１０】特許第3635006 （図１）
【手続補正２】
【補正対象書類名】明細書
【補正対象項目名】００５０
【補正方法】変更
【補正の内容】
【００５０】
一方、前記後境界ライン４２（図６）は、図８に示すように、前記外側の第２クリート２２Ｌの縁２２ａおよび前記内側の第２クリート２２Ｍの縁２２ａにおいて、第２接線Ｔ２、第４接線Ｔ４および第１接線Ｔ１を滑らかに繋いだラインである。
【国際調査報告】
2007138947.tif 000014
2007138947.tif 000015